(57)【特許請求の範囲】
【請求項１】
内部機器を取り付けてボックスに固定される中底を備えて構成される分電盤であって、
前記中底の、内部機器を取り付ける側を前面側としボックスに対向する側を背面側としたとき、前記前面側と前記背面側との間に、
前記分電盤を構成する部品を配置する部品配置スペースを設けた中底を備える一方、
前記中底は、
前記ボックスに取り付けられる下板部と、
該下板部に載置され内部機器を取り付ける上板部とから構成され、
前記上板部の背面側に所定の大きさに区分けされて部品を配置する部品配置スペースを設けた階層構造として構成されたことを特徴とする分電盤。
【請求項２】
前記部品配置スペースは、
分岐開閉器を並設する方向において両端側に開口部が設けられ、
外部から前記部品配置スペースに部品を配置し得ることを特徴とする請求項１記載の分電盤。
【請求項３】
前記部品配置スペースは、
前記上板部における内部機器取付部の一部が開閉手段により開閉自在に設けられることにより、
前記前面側に露出される状態と前記前面側から隠蔽される状態とを、選択的に取り得ることを特徴とすることを特徴とする請求項１又は請求項２記載の分電盤。
【発明の詳細な説明】
【技術分野】
【０００１】
本発明は、キャビネットの内部に開閉器等の内部機器を組み込んだ分電盤に関し、特に、内部機器を取り付ける中底を有する分電盤に関する。
【背景技術】
【０００２】
一般的に、分電盤は、主開閉器、分岐開閉器、漏電遮断器などの内部機器を、中底に取り付けたうえで一体のものとして、分電盤の外郭となるキャビネットを構成するボックスに取付固定され、構成される。図８（特許文献１における図３）に示す如く、中底に相当する基板２１に分岐開閉器が複数取り付けられ、一体のものとしてボックス（図示しない）に取付固定されるようになっている。
【０００３】
分岐ブレーカの負荷側端子には、分岐回路に向けてそれぞれ負荷側電線が接続される。前記ボックスの背面側等には負荷側電線をボックスの外部に引き出すための開口部が設けられており、該開口部と、壁面等に施工される電線引き込み口の位置を合わせて壁面等に取り付けることにより、負荷側電線がボックスから壁面等の内部に引き込まれて配線され、分岐回路に電源が供給される。
【０００４】
前記ボックス内における負荷側電線の配線態様は、第一の配線態様として、分電バー４を境に対向して配設されるそれぞれの前記分岐開閉器の負荷側端子部に対応する位置に壁面の開口部が設けられている場合など、前記負荷側端子部から壁面の開口部に向けて電線を湾曲させて該壁面に略鉛直に配線される場合がある。第二の配線態様として、壁面等における電線引き込み口が小さく開けられている場合や、分岐開閉器の負荷側端子部の背面からずれた場所に開けられている場合など、施工状態によっては、負荷側電線を前記開口部からボックス内に導入し、それぞれの分岐開閉器における負荷側端子部まで、前記中底の背面側を通して引き回したうえ、配線する場合がある。
【０００５】
昨今、分電盤の高機能化が進み、分岐開閉器に接続されている家電機器等で消費される電力や、太陽光発電等補助電源からの発電電力などを計測し、家全体の電気エネルギーの使用状況を確実に把握することが出来る計測機能付分電盤が特許文献２に開示されている。
【０００６】
本計測機能付分電盤は、主幹開閉器の負荷側回路を流れる電流を検出する主幹変流器と、分岐開閉器の負荷側回路を流れる電流を検出する分岐変流器と、補助ブレーカの負荷側回路を流れる電流を検出する補助変流器と、これら主幹変流器、分岐変流器および補助変流器で検出される各電流、並びに主幹回路の電圧に基づき、主幹回路を介して売買される双方向電力、各分岐回路で消費される各消費電力および補助電源供給回路を介して供給される補助電源の発電電力を計測する計測手段とを備えて構成され、前記主開閉器や分岐開閉器等が中底に取り付けられて前記ボックスに固定されているものである。
【０００７】
本計測機能付分電盤においては、個々の分岐ブレーカに分岐変流器が内蔵されていることにより、分岐回路を流れる電流を分岐変流器で検出することができ、計測手段は、各分岐回路の消費電力を計測することができる。
【０００８】
これら分岐変流器と計測手段との配線は、特許文献２における図３の分電盤内部の結線図に示されたように、分岐変流器７５の検出信号線であるリード線７７と各ハーネス線７９とをハーネス７８を用いてそれぞれ接続することにより行い、配線が整然と簡易に行える。通常このようなリード線７７と各ハーネス線７９とをハーネス７８を用いて接続する場合には、分岐ブレーカを載置する前記中底の背面側（特許文献１の図３における基板２１の背面側）にて前記ボックスと該中底との間の空間を用いて行われる。
【先行技術文献】
【特許文献】
【０００９】
【特許文献１】特開２００３−２８９６０４号公報
【特許文献２】特開２００１−１０３６２１号公報
【発明の概要】
【発明が解決しようとする課題】
【００１０】
このように、個々の分岐ブレーカに分岐変流器が内蔵された分電盤においては、分岐回路を流れる電流を夫々の分岐変流器で検出することができ、なおかつ、前記分岐変流器７５の検出信号線であるリード線７７と各ハーネス線７９とをハーネス７８を用いて接続することにより、リード線・ハーネス線と計測手段との配線が整然と簡易に行えるものである。
【００１１】
一方、これらリード線・ハーネス線・ハーネスは前記中底の背面側でボックスと該中底との間の空間に配置されるから、前記ボックス内における負荷側電線の配線態様が前記第一の配線態様、特に、前記第二の配線態様に示したような態様となる場合には、ボックス内のガタースペースが減少することとなり、負荷側電線を配線する際に、リード線・ハーネス線・ハーネスが配線の妨げになることがある。分岐回路数が多い場合はリード線・ハーネス線・ハーネスの本数も増え、配線の妨げがさらに顕著になる。一般的に、リード線・ハーネス線・ハーネスの太さに比べて負荷側電線のほうが太く、また、電線の曲げ加工もしにくいことから、中底の背面において、リード線・ハーネス線・ハーネスを避けながら負荷側電線の配線作業を行うことは困難となり、配線作業工数が増加し作業効率が低下するとともに、負荷側電線によりリード線・ハーネス線・ハーネスを傷つけるおそれや、切断してしまうおそれがある。
【００１２】
このように、分電盤の高機能化が進むことに伴い、内部機器同士を接続するための配線スペースや、機能追加に伴い新たな機器を配置するための追加機器配置スペースが必要となってくるが、これら配線スペースや追加機器配置スペースを確保するために前記ボックス内におけるガタースペースが圧迫され、本来の負荷側電線の配線の支障となるという問題が生じる。
【００１３】
そこで、本発明は、上記問題に鑑みてなされたもので、
ボックス内のガタースペースを圧迫することなく内部機器同士を接続するための配線スペースや、機能追加に伴い新たな機器を配置するための追加機器配置スペースを確保し得る分電盤を提供することを目的とする。
【課題を解決するための手段】
【００１４】
本発明に係る分電盤は、上述の課題を解決すべく構成されたもので、内部機器を取り付けてボックスに固定される中底を備えて構成される分電盤であって、前記中底の、内部機器を取り付ける側を前面側としボックスに対向する側を背面側としたとき、前記前面側と前記背面側との間に、前記分電盤を構成する部品を配置する部品配置スペースを設けた中底を備える一方、前記中底は、前記ボックスに取り付けられる下板部と、該下板部に載置され内部機器を取り付ける上板部とから構成され、前記上板部の背面側に所定の大きさに区分けされて部品を配置する部品配置スペースを設けた階層構造として構成されたことを特徴として構成するとよい。
【００１５】
かかる構成によれば、負荷側電線が引き回されるガタースペースを避けて、機能追加に伴う機器や部品、内部機器同士を接続する配線を配置することができる。特に、中底の背面を通す負荷側電線の妨げにならずに前記機能追加に伴う機器や部品、内部機器同士を接続する配線を配置することができ、配線作業効率の向上が期待できる。
【００１６】
削除
【００１７】
また、ボックス周縁部並びに中底背面部のガタースペースを減少させることなく前記配線スペースや追加機器配置スペースを確保することができる。また、階層構造として、前記下板部と上板部とで二重化構造とすることにより、中底の構造体としての強度を向上させることができる。即ち、中底に開閉器等を載置した場合に中底が撓むなどの変形を防止することができ、ひいては母線と開閉器等の電気的な接続の信頼性を向上させることができる。
【００１８】
また、前記部品配置スペースは、前記分岐開閉器を並設する方向において両端部に開口部が設けられ、外部から前記部品配置スペースに部品を配置し得る構成を採用することができる。
【００１９】
かかる構成によれば、分岐開閉器の並設方向に亘って追加機器や部品、内部機器同士を接続する電源線や信号線を配置させる場合に利便性がよい。また、主開閉器から離れたボックス端部に配設された内部機器に向けて一次送り配線を行う場合には、前記部品配置スペースの一方の開口部から他方の開口部に向けて電線を貫通させることにより、分岐開閉器の負荷側端子に接続する負荷側電線との干渉を防止することができる。
【００２０】
また、前記部品配置スペースは、前記上板部における内部機器取付部の一部が開閉手段により開閉自在に設けられることにより、前記前面側に露出される状態と前記前面側から隠蔽される状態とを、選択的に取り得る構成を採用することができる。
【００２１】
かかる構成によれば、中底を外す必要なく、部品配置スペースに前記前面側からアクセスすることができ、追加機器の配置や収納する部品の配置、取外し、メンテナンス、また、内部機器同士を接続するための配線の施工、取外し、メンテナンスを効率よく行うことができる。
【発明の効果】
【００２２】
以上の如く、本発明によれば、ボックス内のガタースペース、特に中底の背面側のガタースペースを圧迫することなく内部機器同士を接続するための配線スペースや、追加機器の配置スペースを確保し得る分電盤を提供することができる。
【図面の簡単な説明】
【００２３】
【図１】本発明の第一の実施形態を示す分電盤の外観構成図を示す。
【図２】第一の実施形態における中底の外観構成図を示す。
【図３】中底の分解図を示す。
【図４】上板部の分解図を示す。
【図５】中底の分解図を示す。
【図６】中底の要部断面図を示す。
【図７】本発明の第二の実施形態における中底の外観構成図を示す。
【図８】従来例における中底を示す。
【発明を実施するための形態】
【００２４】
次に本発明の実施形態を図面を用いて詳細に説明する。
【００２５】
（第１の実施形態）
まず、本実施形態に係る分電盤の外観構成について、図１を参酌しつつ説明する。本実施形態に係る分電盤１は、分電用の内部機器を収容すべく、前面側が開放されたボックス２と、該開放部を開閉自在且つ着脱自在に覆う前面カバー（図１においては、該前面カバーが外されていて図示されていない）とを備え、ボックス２内に、電流制限器３、主開閉器４あるいは該主開閉器４と接続導体９及び母線１０を介して接続される複数の分岐開閉器７、などが配置され、ボックス２の背面側における適宜箇所に形成された開口部８を通って壁面内からボックス２内に引き込まれる負荷側電線が夫々の分岐開閉器７に接続される。ボックス２の内側周縁部、中底１１の背面側は、分電盤に引き込まれる電線のガタースペースである。
【００２６】
前記分岐開閉器７などの内部機器は、中底１１に取り付けられた状態で前記ボックス２に取付固定される。本実施形態では、前記中底１１の、内部機器を取り付ける側を前面側とし、ボックスに取り付ける側（ボックスに対向する側）を背面側としている。
【００２７】
次に、中底１１の外観構成について、図２、図３、図４を参酌しつつ説明する。該中底１１は、前記ボックス２に取り付けられる下板部１１１と、該下板部１１１に載置され内部機器を取り付ける上板部１１２とを備えて構成される。前記下板部１１１は金属板により構成され、前記上板部１１２は樹脂成型により構成されている。下板部１１１と上板部１１２との取り付けは、下板部１１１に設けた取付孔部１１１１に、上板部に該孔部と対応した位置に設けられた取付爪片１１２３が嵌合することにより行われる構造となっている。
【００２８】
下板部１１１に上板部１１２を取り付けることにより、中底１１を階層構造として構成することができる。前記下板部１１１は金属板を折り曲げて形成されており、所定の強度は保たれているが、前記下板部１１１と上板部１１２とで二重化構造とすることにより、中底の構造体としての強度を向上させることができ、中底に開閉器等を載置した場合に中底が撓むなどの変形を防止することができる。中底の撓みが防止できることにより、母線や開閉器など内部機器自体や、母線と開閉器等との電気的な接続部分に不用な応力が印加されることが低減し、機械的な変形や破損、また、電気的な接続の信頼性を向上させることができる。
【００２９】
図中には、上板部１１２の例として、前記母線１０から電力を供給される分岐開閉器を該母線１０を境に片側に８回路、全体で１６回路の載置可能な上板部を示している。前記上板部１１２には、略中央部を横断するように各極の母線１０を取り付ける母線取付部１１２１が設けられ、前記横断の方向と直交する方向に分岐開閉器を取り付ける分岐開閉器取付部１１２２が夫々設けられている。
【００３０】
分岐開閉器７は、前記母線の幹となる部分を境として両側に設けられ、片側毎に前記母線１０の延出する方向に複数の分岐開閉器が並設配置される構成となっている。図２において，前記幹となる部分が延出する方向に対して手前側がＬ１の電圧極であり，奥側がＬ２の電圧極である。各々の母線には分岐開閉器７に電力を供給するための分岐線が分岐回路毎に一体に設けられている。
【００３１】
前記母線取付部１１２１は、前記前面側−背面側の方向において分岐開閉器取付部１１２２の高さを基準とし、中性極の母線１０１が最も前面側に位置するように突出部１１２１ａが設けられる一方、２つの電圧極の母線（Ｌ１，Ｌ２の母線）１０２，１０３が分岐開閉器取付部１１２１の高さよりも背面側に位置するように凹み部１１２１ｂが設けられている。
【００３２】
中性極の母線１０１の幹部が最も前面側に位置することにより、分電盤の点検時などに不用意に母線に接触することによる感電事故を極力防止することができる。
【００３３】
また、前記凹み部１１２１ｂの凹み量は、該凹み部に前記母線１０２、１０３が取り付けられた場合に、該母線１０２、１０３の前面側の高さが前記分岐開閉器取付部１１２１の高さよりも数ｍｍ背面側となる程度に設けられている。これにより、分岐開閉器７を分岐開閉器取付部１１２２に取り付けた場合に、該分岐開閉器７の電源側部分の背面側が前記母線１０２、１０３の前面側に位置するが、絶縁距離を確保した状態で上板部１１２に取り付け固定することができる。
【００３４】
さて、前記分岐開閉器取付部１１２２においては、各回路毎に仕切り部１１２２ａが設けられている。該仕切り部１１２２ａの内寸は、分岐開閉器７の並設方向の幅寸法と同等程度に設けられており、該仕切り部同士の内側に分岐開閉器を収めることができる。また、該仕切り部１１２２ａは、分岐開閉器７を母線１０の分岐線に接続する場合に、該分岐線の方向にスライドさせるガイドとして利用されるとともに、取付後の分岐開閉器の並設方向へのガタ防止部として利用される。
【００３５】
また、前記分岐開閉器取付部１１２２における母線側と反対側の端部には、各回路毎に分岐開閉器７を取り付け固定するための分岐開閉器引掛部１１２２ｂが設けられている。該分岐開閉器引掛部１１２２ｂは、分岐開閉器７の背面側に設けられた凹部に設けられた被引掛部に引掛けられ、取付後に、前記前面方向の動きを規制する。
【００３６】
具体的には、分岐開閉器引掛部１１２２ｂには、母線から遠ざかる方向に伸びた引掛片が形成されており、分岐開閉器７の背面側の凹部には、分岐開閉器の負荷側から電源側に延出し、前記引掛片と引掛かるように前面側−背面側の高さをあわせて形成された被引掛部が形成されている。
【００３７】
下板部１１１における、前記母線１０の幹が延出される方向と平行な辺の端部は、略Ｌ字状に折り曲げ加工して形成されている。これは、下板部１１１の強度を保つとともに、前記分岐開閉器７を母線の分岐線と接続した場合に、分岐開閉器における電源側から負荷側方向への動きを規制するためのものである。即ち、分岐開閉器７の負荷側端子部には、該分岐開閉器７の背面側から突出する、しないを外部つまみにより択一的に選択するロックレバーが設けられており、分岐開閉器の背面側から突出したロックレバーが前記折曲部の母線側に対向する面と係合することにより、分岐開閉器における電源側から負荷側方向への動きを規制する。このため、振動などにより、分岐開閉器７が分岐線から外れてしまうことを防止でき、分岐開閉器の上板部１１２への取付固定を確実なものとできる。
【００３８】
分岐開閉器７の取付時には、該分岐開閉器７を分岐開閉器取付部１１２２に載置し、該分岐開閉器７を分岐線の方向にスライドさせていくと、分岐開閉器の背面に形成された凹部に分岐開閉器引掛部１１２２ｂが嵌り込み、さらにスライドさせることにより、分岐開閉器側の被引掛部と分岐開閉器引掛部１１２２ｂが嵌合し、前面側−背面側の動きが規制される。このとき、前記母線１０における分岐線と分岐開閉器における電源側の電源端子とが接続されて、電気的な接続も行われる。
【００３９】
そして、前記ロックレバーの外部つまみを下板部１１１の方向に押下げることにより、分岐開閉器７の背面からロックレバーが突出して下板部１１１の折曲部１１１２と嵌合し、取り付けが完了する。
【００４０】
また、上板部１１２から分岐開閉器７を取り外すときには、前記ロックレバーの外部つまみを下板部１１１と反対の方向（前記分岐開閉器の前面側）に引き上げて、ロックレバーを背面から突出しない状態にし、分岐開閉器７を母線から遠ざかる方向に引き抜くように移動させることにより、前記分岐開閉器引掛部１１２２ｂと前記被引掛部との係合が外れると同時に母線１０と分岐開閉器７の電源側端子との接続が解かれ、取り外しが完了する。
【００４１】
また、中底１１は、分岐回路数の変化に対し、下板部１１１、上板部１１２及び母線１０の長さを変えて対応できるよう構成されている。図５に示したように、前記上板部１１２は、端部の部品１１２ａ、１１２ｄ、該端部の間に挟まれる分岐開閉器を載置する部品１１２ｂ、１１２ｃ、Ｌ１、Ｌ２、中性極の母線同士を絶縁するための絶縁壁としての部品１１２ｅ、１１２ｆに分割され、母線の幹が延出する方向に４回路ずつ、合計８回路毎の分岐開閉器を載置する部品を連結して増やしたり、又は減らしたりして分岐回路数の変化に対応する。
【００４２】
また、下板部１１１は分割を行わず、上板部の増減単位と同様に、母線の幹が延出する方向に４回路ずつ、合計８回路毎に、下板部１１１の長さを変えて形成する構成となっている。
【００４３】
さて、図６（ａ）Ａ−Ａ断面図、Ｂ−Ｂ断面図に示したように、上板部１１２の分岐開閉器取付部１１２２の背面側であって、下板部１１１の前面側には、部品配置スペース５としての空洞部が形成されている。該空洞部の、前面側−背面側の高さは、前記上板部１１２における凹み部１１２１ｂの凹み量と略等しい大きさとなっている。
【００４４】
また、Ｂ−Ｂ断面図において示しているように、一つの部品配置スペース５の大きさは、母線の幹が延出する方向に４回路毎の大きさとなっている。これは、上板部１１２を形成する部品、即ち分岐開閉器を載置する部品１１２ｂ、１１２ｃが前記４回路ずつに分割されていることに依存している。また、これら部品１１２ｂ、１１２ｃの背面側には、仕切り壁１１２４が形成されており、この仕切り壁１１２４によって部品配置スペース５が分岐開閉器取付部１１２２の背面側において区分けされている。
【００４５】
分電盤内に配置する部品の大きさによっては、前記仕切り壁１１２４が配置の妨げになることが想定される。このため、仕切り壁１１２４の一部には切欠き部１１２４ａを形成し、上板部１１２の母線の幹が延出する方向全体に亘る部品においても、該切欠き部１１２４ａを通して配置することができるように構成されている。これにより、部品配置スペース５は、両端部に開口部１１２６を有することとなり、外部からは該開口部１１２６を通して、前記部品配置スペースに部品を配置し得る構成とでき、長い部品を配置する場合に利便性が増す。
【００４６】
例えば、分岐開閉器の並設方向に亘って追加機器や部品、内部機器同士を接続する電源線や信号線を配置させる場合に利便性がよくなる。また、主開閉器から離れたボックス端部に配設される内部機器に向けて一次送り配線を行う場合には、前記部品配置スペース５の一方の開口部１１２６から仕切り壁１１２４における切欠き部１１２４ａを通して他方の開口部１１２６に向けて電線を貫通させることにより、中底１１の背面側に施工される分岐開閉器７の負荷側端子に接続する負荷側電線とは何ら干渉することなく一次送りの配線を施工することができる。
【００４７】
（第２の実施形態）
次に第２の実施形態について、図７を参酌しつつ説明する。本実施形態に係る分電盤１は、第１の実施形態に係る中底１１における部品配置スペース５が、前記前面側に露出される状態と前記前面側から隠蔽される状態とを、選択的に取り得る構成としたものである。
【００４８】
即ち、第１の実施形態における上板部１１２の分岐開閉器取付部１１２２を、前記凹み部１１２１ｂ近傍に設けた開閉手段により開閉自在に形成し、部品配置スペース５を露出自在に設けたものである。
【００４９】
前記開閉手段は、前記凹み部１１２１ｂと分岐開閉器取付部１１２２とに互いに嵌合させる嵌合部１１２５を設けることにより構成し、前記分岐開閉器取付部１１２２が、前記母線１０の幹となる部分が延出する方向を軸として、回動するように設けている。上板部１１２は、前述したように、母線の幹が延出する方向に４回路ずつ、合計８回路毎の分岐開閉器を載置する部品１１２ｅ、１１２ｆにより形成されており、これら部品毎に開閉することが可能である。
【００５０】
開閉にあたっては、前記分岐開閉器引掛部１１２２ｂを指等で跳ね上げるようにすることにより部品配置スペースを露出させることができ、そして、前記分岐開閉器引掛部１１２２ｂを指等で押し下げるようにすることにより部品配置スペースを隠蔽することができる。図７（ａ）は、部品配置スペースを少し開けた状態、図７（ｂ）は、部品配置スペースを大きく開けた状態である。
【００５１】
また、端部の部品１１２ａにおける分岐開閉器を載置する部分においても同様に開閉自在に構成することにより、中底１１における部品配置スペース５全体が外部に露出可能に設けられるから、部品配置スペースに対して前記前面側からアクセスすることができ、追加機器の配置や収納する部品の配置、取外し、メンテナンス、また、内部機器同士を接続するための配線の施工、取外し、メンテナンスを外部から部品を配置する際に、前記開口部１１２６を覗き込んだり、上板部１１２を下板部１１１から外すことなく、作業性良く部品を配置することができる。
【００５２】
なお、本実施形態においては、部品配置スペース５の開操作に伴い、分岐開閉器取付部１１２２が上板部１１２から外れてしまわない例を示したものであるが、他の形態として、上板部１１２における母線取付部１１２１と、分岐開閉器取付部１１２２とを別々の部品で形成し、前記嵌合部を設けずに、分岐開閉器取付部１１２２を完全に取り外してしまうように構成してもよい。この場合においては、分岐開閉器取付部１１２２を取り外してしまえる分、部品配置のための作業スペースが拡大し、さらに作業性が向上できることが期待できる。
【００５３】
尚、本発明は、上記実施形態に限定されるものではなく、本発明の要旨を逸脱しない範囲で種々の変更が可能である。
【００５４】
例えば、なお、下板部の部品配置スペース５に相当する部分を金属加工により凹ませて形成し、該部品配置スペース５の大きさを拡大して構成してもよい。この場合には、下板部１１１の背面側に施工する電線の配線の邪魔になりにくいように、凹み部の端部の形状を、段差状ではなく傾斜面（Ｃ面）形状とし、凹み部につっかえるなどの干渉が起こりにくいように形成するとよい。
【００５５】
また、上板部の分割単位を、母線の幹が延出する方向に４回路ずつ分割する他、２回路毎や８回路、あるいは、１回路ずつに設けて、分電盤の設計上要求される分岐回路数の追加に細かに追随できるよう構成してもよい。
【００５６】
また、下板部１１１について、上板部１１２と同様に分割する構成とし、両端部の部品と、該両端部の部品の間に挟まれるように母線の幹が延出する方向に４回路ずつ、又は他の回路数ずつの長さに分割してそれぞれを螺子で締結してつなぎ合わせたり、互いに嵌合する嵌合部を形成して接続することにより形成してもよい。これにより、下板部１１１の共用化を図ることができる。
【００５７】
また、前記開閉手段における嵌合部１１２５に代えて、母線取付部と分岐開閉器取付部とに軸受部を形成し、該軸受部に軸を通すことにより、分岐開閉器取付部を回動自在に形成してもよい。
【００５８】
また、前記開閉手段における回動方向について、前記嵌合部における軸部を、分岐開閉器取付部における分岐開閉器を並設する方向の端部並びに下板部１１１に軸受部を設けることにより、分岐開閉器の電源側−負荷側の方向に回動軸が形成されるように構成し、回動方向を違えて構成してもよい。
【符号の説明】
【００５９】
１  分電盤
２  ボックス
３  電流制限器
４  主開閉器
５  部品配置スペース
７  分岐開閉器
８  開口部
９  接続導体
１０  母線
１０１  中性極の母線
１０２  Ｌ２の母線
１０３  Ｌ１の母線
１１  中底
１１１  下板部
１１１１  取付孔部
１１１２  折曲部
１１２  上板部
１１２ａ  端部の部品
１１２ｂ  分岐開閉器を載置する部品
１１２ｃ  分岐開閉器を載置する部品
１１２ｄ  端部の部品
１１２ｅ  絶縁壁
１１２ｆ  絶縁壁
１１２１  母線取付部
１１２２  分岐開閉器取付部
１１２２ａ  仕切り部
１１２２ｂ  分岐開閉器引掛部
１１２３  取付爪部
１１２４  仕切り壁
１１２４ａ  切欠き部
１１２５  嵌合部
１１２６  開口部
【図１】
0005794515.tif 000002
【図２】
0005794515.tif 000003
【図３】
0005794515.tif 000004
【図４】
0005794515.tif 000005
【図５】
0005794515.tif 000006
【図６】
0005794515.tif 000007
【図７】
0005794515.tif 000008
【図８】
0005794515.tif 000009